(57)【要約】      （修正有）【課題】蛍光色等針金による文字、絵柄等でパソコン画面やパーテイション等の上部に乗せ又は左右にフック等で引っ掛け等して、職場等の行き先・よくある注意喚起等の表示をする表示装置を提供する。【解決手段】パソコン画面等の上辺の上に針金でフックやスタンドの形状にて乗せる・立たせるようにし、着脱容易にし、貼る剥がす手間をなくし、所在を表示する。【選択図】図１
2014211604.tif 000002
【特許請求の範囲】
【請求項１】
パソコン画面やパーテイション等の上又は左右等、或いは机の上等、フック等で適宜固定し又は置き表示する表示
【請求項２】
パソコン画面やパーテイション等の上又は左右等、或いは机の上等、ハの字型の形状のフック等、四方に伸びた直線又は舌状等のフック部等のスタンド等で適宜固定し又は置き表示する表示
【請求項２】
さらに、絵柄、絵文字、日本語、英語左右非対称で前後から同じに見えない表示は、前用、後用と左右逆な表示を併記する表示で、少なくとも前後２方向からの識別が可能な請求項１の表示。
【請求項３】
前用・後ろ用２個１式のセットを乗せても、必要に応じ、前用・後ろ用のみ乗せて使用でも可とした請求項１の表示。
【請求項４】
さらに、針金でできた請求項１の表示
【請求項４】
さらに、適宜フック部等をゴム管等で滑り止めした請求項１の表示
【請求項５】
さらに、表示は横長だけでなく、縦長等他形状をも含む請求項１の表示
【請求項６】
さらに、色で識別する請求項１の表示
【請求項７】
さらに、職場や家庭等での良くある定番的な注意喚起や意識高揚のスローガン等、忘却防止事項等を表示する請求項１の表示。
【請求項８】
さらに、図柄等を添えて又は単独で、文字のみ又は文字と併記し表示する請求項１表示。
【請求項９】
さらに、添える図柄等は、平面のみならず可能なら立体でも表現し得る請求項１の表示
【請求項１０】
さらに、フックは、掛け方は単に上下に鍵型に掛けるのみならず、パソコン等引っ掛ける物体と表示の縦横の寸法に応じ、適宜斜め襷掛け状等、またフックの形状は鍵型だけでなく、波型等、また水道の蛇口に１点吊り等、針金で加工可能なフックで引っ掛ける請求項１の表示。
【請求項１１】
さらに、図では、文字が意味するのを明らかにする為、大きめに表現したが、ノート型パソコンの画面の縁程度前後の大小の寸法をも含む請求項１の表示。
【発明の詳細な説明】
【技術分野】
【０００１】  本発明は、蛍光色等針金による文字、絵柄等でパソコン画面やパーテイション等の上部に乗せ又は左右にフック等で引っ掛け等して表示する、職場等の行き先・よくある注意喚起等表示に関するものである。
【技術背景】
【０００２】  先に、私は文字、絵柄等によるパソコン画面にフックで掛ける針金による行き先等表示・よくある注意喚起等表示を出願した。また、針金が蛍光色であれば照度の低い使用環境でも使用可能性が広がるため、後から出願した。
【０００３】  これは、技術背景として、パソコンの操作する机にて、離籍する際、パソコンの画面が点いているかどうかが、本人が在室しているかどうかの判断の為の対象となることがある。出退勤表示や会議等スケジュール管理のソフトウェアも市販されている。当然、これらはパソコンの電源が入っているときのみパソコンで閲覧・書き込み・修正等使用可能であるが、電源が入っていなければ使用できない。
【０００４】  そこで、パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ＯＮのときは明るく針金の色を白以外で作成すればよく、パソコン画面がＯＦＦのときは画面は黒色であり、針金を白色ビニール被覆付針金で作成すれば識別性を高められる。離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。そしてその表示は、針金による絵文字によるもので、日本語の漢字、複雑で表現が難しい場合は平仮名や片仮名での代筆で通用するもの、乃至英語標記であった。
【０００５】  これに、現代日本の職場や家庭環境を鑑みるに、日本語や英語を解さない非英語圏からの外国人が珍しくなくなった事情を踏まえれば、簡単な図柄を添えれば尚理解されやすいだろうということに気が付いた。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等に離席するのも逆に気兼ねする悩ましい行動も、本発明をさりげなくパソコンに引っ掛けて離席することで、気軽にすることが出来る職場や在宅のリラックス環境を提供することが可能となる。
【０００６】  さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
【０００７】  そして、今回はパソコン画面に針金でフックやスタンドの形状にて上に乗せる・立たせるようにし、着脱容易にし、貼る剥がす手間をなくし、所在を表示する表示があれば、職場でも在宅でも有効ではないかと考えた。針金は軽く錆びにくいだけでなく、パソコン画面がＯＮであっても表示は可能である。パソコンの画面等にフックでこれらの表示をする場合、職場の居室が見開きの開放型の大居室なら、目立つので効果があるが、パーテイション等で仕切りのある各パソコンと操作する人とが仕切られた個室型の職場である場合、パソコンの画面等でフックで掛ける形状の表示に比べ、フックやスタンドタイプ等でパソコンの画面やパーテイション・仕切り壁の上等に軽く乗せ固定する形状の表示の方が、よりよく見え、効果を発揮するのではないかと気が付いた。また、これなら、パソコンの裏側からも見え、表示の効果は前後から識別可能ということで、単にパソコンの画面のフックで引っ掛けることの表示が前からしか視認できないのに比べ、２倍である。だから、職場の居室が見開きの開放型の大居室で使用することも尚出来、且つ前後２倍、または左右８方向から視認できれば尚それ以上の表示効果があることに気が付いた。見開きの開放型の大居室の職場席配置は、縦横複数列の座席配置であることが多く、パソコン画面の向かい側の人がこちら側のパソコン画面を見に回り込む又は起立して前屈みに覗き込む手間が省ける。フックやスタンドタイプでパソコンの画面やパーテイション・仕切り壁の上等に軽く乗せ固定する形状なら、単に職場のデスクの上に置いても、職場などでの行き先・注意喚起表示の機能を持たせることも併せて可能で、パソコン等の画面の上縁にフック・スタンド等の形状で乗せた、前後から識別可能な表示として、また職場のデスク等の上に置く表示として、一石二鳥の表示効果が得られるのではないかと考えた。職場のデスク等の上に置く表示としては、フック部を、ハの字様のフック部、パソコン画面に乗せるフック・スタンドの形状を、平面に倒立するように開脚する。絵柄、絵文字、日本語、英語左右対称の前後から同じに見える表示は、文字の関係から制約がある場合、前用、後用と併記する表示とした。前用・後ろ用２個１式のセットを乗せても、必要に応じ、前用・後ろ用のみ乗せて使用でも可とした。
パソコン画面を妨げないから、パソコンがＯＮであっても表示は可能である。針金が蛍光色で、照度の低い環境でも視認性を持たせることが出来れば、尚良いと考えた。また、職場環境によっては、パソコン等の上のみならず、左右の横にフック等で引っ掛けて表示するのもあり得ると考えられるが、パソコンの位置関係等の制約からパソコン画面横のみフックにて掛けることも可能とした。
【発明が解決しようとする課題】
【０００８】  パソコンの画面が点いているかどうかが、本人が在室しているかどうかの判断の為の対象となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【０００９】このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターは、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【課題を解決するための手段】
【００１０】  先に出願したパソコン画面等にフックで引っ掛ける表示の他に、パソコン画面や職場を仕切っているパーテイション等の上辺の上に針金でフックやスタンドの形状にて乗せる・立たせるようにし、着脱容易にし、貼る剥がす手間をなくし、所在を表示する表示があれば、仕切りやパーテイションで仕切られた個室形式の職場でも在宅でも有効ではないかと考えた。また、仕切りなどない職場でも、パソコン画面等にフックで掛ける表示より、パソコン画面等の上辺に乗せる表示の方が、そのパソコンの後ろ側からも視認可能である点で表示効果は２倍である。パソコン画面を妨げないから、パソコンがＯＮであっても表示は可能である。離席する用事で、典型的な用件「会議中」「帰宅」「昼食」「出張」の表示が、その人が在席するか離席しているか、不在かよく視線が行くパソコン画面等の上に表示があれば、その識別がより容易に行われるのではないか、これはフックで掛ける形状の表示と同様に有用と考えた。また行き先だけでなく、パソコンそのものが故障している場合、故障という表示も同様に有用であると考えた。また、職場環境によっては、パソコン等の上のみならず、左右の横にフック等で引っ掛けて表示するのもあり得ると考えられる。
【００１１】  パソコン画面に針金でフックやスタンドの形状にて乗せる・立たせるようにし、着脱容易にし、貼る剥がす手間をなくし、所在を表示する表示があれば、職場でも在宅でも有効ではないかと考えた。針金は軽く錆びにくいだけでなく、パソコン画面がＯＮであっても表示は可能である。パソコンの画面等にフックでこれらの表示をする場合、職場の居室が見開きの開放型の大居室なら、目立つので効果があるが、パーテイション等で仕切りのある各パソコンと操作する人とが仕切られた個室型の職場である場合、パソコンの画面等でフックで掛ける形状にフックやスタンドタイプでパソコンの画面やパーテイション・仕切り壁の上等に軽く乗せ固定する形状の表示が、よりよく見え、効果を発揮するのではないかと気が付いた。また、これなら、パソコンの裏側からも見え、表示の効果は前後から識別可能ということで、単にパソコンの画面のフックで引っ掛けることの表示が前からしか視認できないのに比べ、２倍である。だから、職場の居室が見開きの開放型の大居室で使用することも尚出来、且つ前後２倍、または左右８方向から視認できれば尚それ以上の表示効果があることに気が付いた。絵柄、絵文字、日本語、英語左右対称の前後から同じに見える表示は、文字の関係から制約がある場合、前用、後用と併記する表示とした。前用・後ろ用２個１式のセットを乗せても、必要に応じ、前用・後ろ用のみ乗せて使用でも可とした。見開きの開放型の大居室の職場席配置は、縦横複数列の座席配置であることが多く、パソコン画面の向かい側の人がこちら側のパソコン画面を見に回り込む又は起立して前屈みに覗き込む手間が省ける。フックやスタンドタイプでパソコンの画面やパーテイション・仕切り壁の上等に軽く乗せ固定する形状なら、単に職場のデスクの上に置いても、職場などでの行き先・注意喚起表示の機能を持たせることも併せて可能で、パソコン等の画面の上縁にフック・スタンド等の形状で乗せた、前後から識別可能な表示として、また職場のデスク等の上に置く表示として、一石二鳥の表示効果が得られるのではないかと考えた。職場のデスク等の上に置く表示としては、職場のデスク等の上に置く表示としては、フック部を、ハの字様のフック部、パソコン画面に乗せるフック・スタンドの形状を、平面に倒立するように開脚する。針金が蛍光色で、照度の低い環境でも視認性を持たせることが出来れば、尚良いと考えた。また、職場環境によっては、パソコン等の上のみならず、左右の横にフック等で引っ掛けて表示するのもあり得ると考えられるが、パソコンの位置関係等の制約からパソコン画面横のみフックにて掛けることも可能とした。
【００１２】  フック部やスタンド部には、適宜必要に応じて滑り止めに適宜ゴム管を使用する。これは、フック部が上下方向で下に落下しづらくするのみならず、デスクトップパソコンのモニター部が左右斜めに傾いてもフックがモニターに滑らずに止まることに寄与する。
【００１３】  離席する用事で、典型的な用件「会議中」「帰宅」「昼食」「出張」の表示が、その人が在席するか離席しているか、不在かよく視線が行くパソコン画面に表示があれば、その識別がより容易に行われる。また行き先だけでなく、パソコンそのものが故障している場合、故障という表示も有用である。そしてその表示は、針金による絵文字によるもので、日本語の漢字、複雑で表現が難しい場合は平仮名や片仮名での代筆で通用するもの、乃至英語標記である。
【００１４】  これに、現代日本の職場や家庭環境を鑑みるに、日本語や英語を解さない非英語圏からの外国人が珍しくなくなった事情を踏まえれば、簡単な図柄を添えれば尚理解されやすい。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等に離席するのも逆に気兼ねする悩ましい行動も、本発明をさりげなくパソコンに引っ掛けて離席することで、気軽にすることが出来る職場や在宅のリラックス環境を提供することが可能となる。
【００１５】さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用である。
また、注意喚起は、「システムダウン」「サーバーメインテナンス中」「ウィルス警報」「ＬＡＮメインテナンス中」「ウイルスチェック中」のみならず、「禁煙」「飲食禁止」「携帯禁止」等職場関連、震災関連で意識昂揚のスローガン的な「頑張れ福島」等などがあり得る。それだけではなく、「ＦＬＥＸ  ＴＩＭＥ」「時差」「早番」「遅番」等週代わり・月替わりで行われる各職場共通の定番の職場業務行為、忘却防止のリマインダーとして、パソコンの画面の上等に、画面がＯＮ・ＯＦＦ関係なく、使用しても良いと思われる。同様に、「外勤」「半休」「時間休」「早退」「遅刻」等の１日に満たない各職場共通の定番の有給休暇や、「〆切ＰＭ７：００」「ＮＯ  ＭＹ−ＣＡＲ  ＤＡＹ」等ホームページのＦＡＱのような定番のパソコン操作上の忘却防止メモとして、また「ドック３／１７」「ＴＯＥＩＣ  ４／１４」等良くある予約忘却防止メモも有用と考えられる。付箋やセロテープ等でパソコン画面の横や上の縁部分に留めたこれらは、１週間や１ヶ月のうちに取れてしまうこともあるが、針金の表示なら、視認性・認識性、またセロテープ等の粘着物が長時間貼ってあったことによる汚れ、またパソコン等がリース製品であってリース期間が切れて業者に返却する場合の画面にセロテープを長時間貼ってあったことによる汚れを清掃する手間も発生しない。通常の職場勤務者が出会う職場上乃至家庭上の注意喚起や忘却防止等を要する事項を、通常職場で対面する時間の最も多いパソコン画面に、ある程度類型化し注意喚起の表示にすれば、有用と考えられる。
【発明の効果】
【００１６】パソコンの画面等にフックでこれらの表示をする場合、職場の居室が見開きの開放型の大居室なら、目立つので効果があるが、パーテイション等で仕切りのある各パソコンと操作する人とが仕切られた個室型の職場である場合、パソコンの画面等でフックで掛ける形状にフックやスタンドタイプでパソコンの画面やパーテイション・仕切り壁の上等に軽く乗せ固定する形状の表示が、よりよく見え、パソコンの裏側からも見え、表示の効果は前後から識別可能ということで、単にパソコンの画面のフックで引っ掛けることの表示が前からしか視認できないのに比べ、２倍となった。だから、職場の居室が見開きの開放型の大居室で使用することも出来且つ前後２倍の表示効果が出た。絵柄、絵文字、日本語、英語左右対称の前後から同じに見える表示は、文字の関係から制約がある場合、前用、後用と併記する表示とした。前用・後ろ用２個１式のセットを乗せても、必要に応じ、前用・後ろ用のみ乗せて使用でも可とした。
また、左右８方向から視認できれば尚それ以上の表示効果がある。見開きの開放型の大居室の職場席配置は、縦横複数列の座席配置であることが多く、パソコン画面の向かい側の人がこちら側のパソコン画面を見に回り込む又は起立して前屈みに覗き込む手間が省けた。フックやスタンドタイプでパソコンの画面やパーテイション・仕切り壁の上等に軽く乗せ固定する形状なら、単に職場のデスクの上に置いても、職場などでの行き先・注意喚起表示の機能を持たせることも併せて可能で、パソコン等の画面の上縁にフック・スタンド等の形状で乗せた、前後から識別可能な表示として、また職場のデスク等の上に置く表示として、一石二鳥の表示効果が得られた。職場のデスク等の上に置く表示としては、職場のデスク等の上に置く表示としては、フック部を、ハの字様のフック部、パソコン画面に乗せるフック・スタンドの形状を、平面に倒立するように開脚する。針金が蛍光色で、照度の低い環境でも視認性を持たせることが出来た。また、職場環境によっては、パソコン等の上のみならず、左右の横にフック等で引っ掛けて表示するのもあり得ると考えられるが、パソコンの位置関係等の制約からパソコン画面横のみフックにて掛けることも可能とした。
【００１７】  仕切りやパーテイションで仕切られた個室形式の職場でも、その人が在席するか離席しているか、その識別が日本語や英語を解さない非英語圏からの外国人ででもより容易になった。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等に離席するのも逆に気兼ねする悩ましい行動も、本発明をさりげなくパソコンに引っ掛けて離席することで、気軽にすることが出来る職場や在宅のリラックス環境を提供することが可能となった。絵柄、絵文字、日本語、英語左右対称の前後から同じに見える表示は、文字の関係から制約がある場合、前用、後用と併記する表示としたが、パソコン画面等の表示は、前面からのみ識別可能だったが、パソコン画面等の上に乗せ且つ前用、後用と併記する表示は、少なくとも前後２方向からの識別が可能となった。前用・後ろ用２個１式のセットを乗せても、必要に応じ、前用・後ろ用のみ乗せて使用でも可としたので、過剰な装飾とみなされて雰囲気的に使用しずらい職場にも配慮し、遠慮がちな、抑えた雰囲気の表示に徹した。
【００１８】  注意喚起事項も、職場や家庭等に共通する典型的な事項を用意し、パソコン等をセロテープ等の貼り跡で汚すことなく、付箋のように取れて滅失することなく、注意喚起し忘却防止・失念防止するとこが可能となった。
【図面の簡単な説明】
【００１９】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【図１２】本発明の正面図である。
【図１３】本発明の正面図である。
【図１４】本発明の正面図である。
【図１５】本発明の正面図である。
【図１６】本発明の正面図である。
【図１７】本発明の正面図である。
【図１８】本発明の正面図である。
【図１９】本発明の正面図である。
【図２０】本発明の正面図である。
【図２１】本発明の正面図である。
【図２２】本発明の正面図である。
【図２３】本発明の正面図である。
【図２４】本発明の正面図である。
【図２５】本発明の正面図である。
【図２６】本発明の正面図である。
【図２７】本発明の正面図である。
【図２８】本発明の正面図である。
【図２９】本発明の断面図である。
【図３０】本発明の断面図である。
【図３１】本発明の断面図である。
【図３２】本発明の断面図である。
【図３２】本発明の斜見図である。
【図３３】本発明の斜見図である。
【図３４】本発明の斜見図である。
【図３５】本発明の斜見図である。
【図３６】本発明の斜見図である。
【図３７】本発明の斜見図である。
【図３８】本発明の斜見図である。
【図３９】本発明の斜見図である。
【図４０】本発明の正面図である。
【図４１】本発明の正面図である。
【図４２】本発明の斜見図である。
【発明を実施するための形態】
【００２０】本発明を実施するための形態を説明する。
【符号の簡単な説明】
【００２１】１  行き先表示フック部
２  行き先表示部
３  ゴム管
４  図柄
５  絵文字
６  ノート型パソコン本体
７  デスク型パソコン本体
８  キーボード
９  机
１０パーテイション
１１椅子
【図１】
2014211604.tif 000003
【図２】
2014211604.tif 000004
【図３】
2014211604.tif 000005
【図４】
2014211604.tif 000006
【図５】
2014211604.tif 000007
【図６】
2014211604.tif 000008
【図７】
2014211604.tif 000009
【図８】
2014211604.tif 000010
【図９】
2014211604.tif 000011
【図１０】
2014211604.tif 000012
【図１１】
2014211604.tif 000013
【図１２】
2014211604.tif 000014
【図１３】
2014211604.tif 000015
【図１４】
2014211604.tif 000016
【図１５】
2014211604.tif 000017
【図１６】
2014211604.tif 000018
【図１７】
2014211604.tif 000019
【図１８】
2014211604.tif 000020
【図１９】
2014211604.tif 000021
【図２０】
2014211604.tif 000022
【図２１】
2014211604.tif 000023
【図２２】
2014211604.tif 000024
【図２３】
2014211604.tif 000025
【図２４】
2014211604.tif 000026
【図２５】
2014211604.tif 000027
【図２６】
2014211604.tif 000028
【図２７】
2014211604.tif 000029
【図２８】
2014211604.tif 000030
【図２９】
2014211604.tif 000031
【図３０】
2014211604.tif 000032
【図３１】
2014211604.tif 000033
【図３２】
2014211604.tif 000034
【図３３】
2014211604.tif 000035
【図３４】
2014211604.tif 000036
【図３５】
2014211604.tif 000037
【図３６】
2014211604.tif 000038
【図３７】
2014211604.tif 000039
【図３８】
2014211604.tif 000040
【図３９】
2014211604.tif 000041
【図４０】
2014211604.tif 000042
【図４１】
2014211604.tif 000043
【図４２】
2014211604.tif 000044
【手続補正書】
【提出日】平成25年6月18日(2013.6.18)
【手続補正１】
【補正対象書類名】明細書
【補正対象項目名】００１９
【補正方法】変更
【補正の内容】
【００１９】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【図１２】本発明の正面図である。
【図１３】本発明の正面図である。
【図１４】本発明の正面図である。
【図１５】本発明の正面図である。
【図１６】本発明の正面図である。
【図１７】本発明の正面図である。
【図１８】本発明の正面図である。
【図１９】本発明の正面図である。
【図２０】本発明の正面図である。
【図２１】本発明の正面図である。
【図２２】本発明の正面図である。
【図２３】本発明の正面図である。
【図２４】本発明の正面図である。
【図２５】本発明の正面図である。
【図２６】本発明の正面図である。
【図２７】本発明の正面図である。
【図２８】本発明の正面図である。
【図２９】本発明の断面図である。
【図３０】本発明の断面図である。
【図３１】本発明の断面図である。
【図３２】本発明の断面図である。
【図３３】本発明の斜見図である。
【図３４】本発明の斜見図である。
【図３５】本発明の斜見図である。
【図３６】本発明の斜見図である。
【図３７】本発明の斜見図である。
【図３８】本発明の斜見図である。
【図３９】本発明の斜見図である。
【図４０】本発明の斜見図である。
【図４１】本発明の正面図である。
【図４２】本発明の正面図である。
【手続補正２】
【補正対象書類名】特許請求の範囲
【補正対象項目名】全文
【補正方法】変更
【補正の内容】
【特許請求の範囲】
【請求項１】
パソコン画面やパーテイション等の上又は左右等、或いは机の上等、フック等で適宜固定し又は置き表示する表示
【請求項２】
パソコン画面やパーテイション等の上又は左右等、或いは机の上等、ハの字型の形状のフック等、四方に伸びた直線又は舌状等のフック部等のスタンド等で適宜固定し又は置き表示する表示
【請求項３】
さらに、絵柄、絵文字、日本語、英語左右非対称で前後から同じに見えない表示は、前用、後用と左右逆な表示を併記する表示で、少なくとも前後２方向からの識別が可能な請求項１の表示。
【請求項４】
前用・後ろ用２個１式のセットを乗せても、必要に応じ、前用・後ろ用のみ乗せて使用でも可とした請求項１の表示。
【請求項５】
さらに、針金でできた請求項１の表示
【請求項６】
さらに、適宜フック部等をゴム管等で滑り止めした請求項１の表示
【請求項７】
さらに、表示は横長だけでなく、縦長等他形状をも含む請求項１の表示
【請求項８】
さらに、色で識別する請求項１の表示
【請求項９】
さらに、職場や家庭等での良くある定番的な注意喚起や意識高揚のスローガン等、忘却防止事項等を表示する請求項１の表示。
【請求項１０】
さらに、図柄等を添えて又は単独で、文字のみ又は文字と併記し表示する請求項１表示。
【請求項１１】
さらに、添える図柄等は、平面のみならず可能なら立体でも表現し得る請求項１の表示
【請求項１２】
さらに、フックは、掛け方は単に上下に鍵型に掛けるのみならず、パソコン等引っ掛ける物体と表示の縦横の寸法に応じ、適宜斜め襷掛け状等、またフックの形状は鍵型だけでなく、波型等、また水道の蛇口に１点吊り等、針金で加工可能なフックで引っ掛ける請求項１の表示。
【請求項１３】
さらに、図では、文字が意味するのを明らかにする為、大きめに表現したが、ノート型パソコンの画面の縁程度前後の大小の寸法をも含む請求項１の表示。